(57)【要約】【課題】補助ツールの掻寄部により自毛の適宜本数を容易に掻き寄せることができると共に挿通用紐により自毛束を金属製の筒チップに容易に挿通することができ、かつ、筒チップをかしめ手工具の弧状圧潰部により横断面形状が略半円弧筒状に圧潰し、その後、扁平圧潰部により横断面形状が略扁平筒状に圧潰することにより筒チップで自毛束及び取付毛束を圧締することができる。【解決手段】自毛束Ｗと取付毛束Ｋとを金属製の筒チップ２により連結する際に用いられ、自毛の適宜本数を掻寄可能な掻寄部４及び自毛束を筒チップに挿通するための挿通用紐５からなる補助ツールと、筒チップの横断面形状を略半円弧筒状に圧潰可能な弧状圧潰部１１及び筒チップの横断面形状を略扁平筒状に圧潰可能な扁平圧潰部１２からなるかしめ手工具３とを備えてなる。【選択図】図１
2006291364.tif 000002
【特許請求の範囲】
【請求項１】
自毛束と取付毛束とを金属製の筒チップにより連結する際に用いられ、上記自毛の適宜本数を掻寄可能な掻寄部及び該自毛束を上記筒チップに挿通するための挿通用紐からなる補助ツールと、該筒チップの横断面形状を略半円弧筒状に圧潰可能な弧状圧潰部及び該筒チップの横断面形状を略扁平筒状に圧潰可能な扁平圧潰部からなるかしめ手工具とを備えてなることを特徴とするエクステンション用具。
【請求項２】
上記かしめ手工具は一対のかしめ部材を枢軸によりＸ状に枢着して枢軸を境に先端側を一対のかしめ部として基部側を一対の握持部としてなることを特徴とする請求項１記載のエクステンション用具。
【請求項３】
上記弧状圧潰部は対向する弧状凸部及び弧状凹部からなることを特徴とする請求項１又は２記載のエクステンション用具。
【請求項４】
上記扁平圧潰部は対向する一対の圧潰面部からなることを特徴とする請求項１〜３のいずれか１項に記載のエクステンション用具。
【請求項５】
上記弧状圧潰部の弧状凸部に没入凹部を形成すると共に弧状凹部に該没入凹部に嵌入可能な嵌入凸部を形成してなることを特徴とする請求項３又は４記載のエクステンション用具。
【請求項６】
上記一対の圧潰面部にローレット目を刻成してなることを特徴とする請求項４又は５記載のエクステンション用具。
【請求項７】
上記かしめ手工具の一対のかしめ部の先端部に上記横断面形状が略扁平筒状にかしめられた筒チップの筒穴の両端から該筒穴内に侵入拡開可能な一対の侵入部をそれぞれ設けてなることを特徴とする請求項２〜６のいずれか１項に記載のエクステンション用具。
【発明の詳細な説明】
【技術分野】
【０００１】
本発明は自毛束にいわゆる人毛や人工毛からなる付け毛たる取付毛束を筒チップを用いて連結する際に用いられるエクステンション用具に関するものである。
【背景技術】
【０００２】
従来この種のエクステンション用具として、熱収縮チューブを用いてなる構造のものが知られている。
【０００３】
しかして、自毛束と取付毛束とを熱収縮チューブにより連結し、髪の毛の長さを長く見せたり、髪の毛の量を多く見せたり、茶色や緑色などの奇抜な取付毛束を用いることにより斬新な髪型を演出することになる。
【特許文献１】実用新案登録第３０９９９８７号公報
【発明の開示】
【発明が解決しようとする課題】
【０００４】
しかしながら上記従来構造の場合、自毛束と取付毛束とを熱収縮チューブにより連結するため、加熱器具が必要となったり、使用経過により取付強度が低下することがあり、取り外しに厄介なことがある不都合を有している。
【課題を解決するための手段】
【０００５】
本発明はこれらの不都合を解決することを目的とするもので、本発明のうちで、請求項１記載の発明は、自毛束と取付毛束とを金属製の筒チップにより連結する際に用いられ、上記自毛の適宜本数を掻寄可能な掻寄部及び該自毛束を上記筒チップに挿通するための挿通用紐からなる補助ツールと、該筒チップの横断面形状を略半円弧筒状に圧潰可能な弧状圧潰部及び該筒チップの横断面形状を略扁平筒状に圧潰可能な扁平圧潰部からなるかしめ手工具とを備えてなることを特徴とするエクステンション用具にある。
【０００６】
又、請求項２記載の発明は、上記かしめ手工具は一対のかしめ部材を枢軸によりＸ状に枢着して枢軸を境に先端側を一対のかしめ部として基部側を一対の握持部としてなることを特徴とするものであり、又、請求項３記載の発明は、上記弧状圧潰部は対向する弧状凸部及び弧状凹部からなることを特徴とするものであり、又、請求項４記載の発明は、上記扁平圧潰部は対向する一対の圧潰面部からなることを特徴とするものであり、又、請求項５記載の発明は、上記弧状圧潰部の弧状凸部に没入凹部を形成すると共に弧状凹部に該没入凹部に嵌入可能な嵌入凸部を形成してなることを特徴とするものであり、又、請求項６記載の発明にあっては、上記一対の圧潰面部にローレット目を刻成してなることを特徴とするものである。
【０００７】
又、請求項７記載の発明は、上記かしめ手工具の一対のかしめ部の先端部に上記横断面形状が略扁平筒状にかしめられた筒チップの筒穴の両端から該筒穴内に侵入拡開可能な一対の侵入部をそれぞれ設けてなることを特徴とするものである。
【発明の効果】
【０００８】
本発明は上述の如く、請求項１記載の発明にあっては、補助ツールの掻寄部により自毛の適宜本数を容易に掻き寄せることができると共に挿通用紐により自毛束を上記金属製の筒チップに容易に挿通することができ、かつ、筒チップをかしめ手工具の弧状圧潰部により横断面形状が略半円弧筒状に圧潰し、その後、扁平圧潰部により横断面形状が略扁平筒状に圧潰することにより筒チップで自毛束及び取付毛束を圧締することができ、自毛束と取付毛束との取付強度を高めることができ、使用の耐久性を向上することができる。
【０００９】
又、請求項２記載の発明にあっては、上記かしめ手工具は一対のかしめ部材を枢軸によりＸ状に枢着して枢軸を境に先端側を一対のかしめ部として基部側を一対の握持部としてなるから、ペンチのように使用することができて容易に筒チップをかしめることができ、又、請求項３記載の発明にあっては、上記弧状圧潰部は対向する弧状凸部及び弧状凹部からなるので、筒チップの横断面形状を容易に略半円弧筒状に圧潰することができ、又、請求項４記載の発明にあっては、上記扁平圧潰部は対向する一対の圧潰面部からなるので、筒チップの横断面形状を容易に略扁平筒状に圧潰することができ、筒チップで自毛束及び取付毛束を圧締することができ、又、請求項５記載の発明にあっては、上記弧状圧潰部の弧状凸部に没入凹部を形成すると共に弧状凹部に没入凹部に嵌入可能な嵌入凸部を形成してなるから、筒チップによる自毛束と取付毛束との取付強度を高めることができ、使用の耐久性を向上することができ、又、請求項６記載の発明にあっては、上記一対の圧潰面部にローレット目を刻成してなるから、筒チップの外周面を容易に圧壊することができる。
【００１０】
又、請求項７記載の発明にあっては、上記かしめ手工具の一対のかしめ部の先端部に上記横断面形状が略扁平筒状にかしめられた筒チップの筒穴の両端から筒穴内に侵入拡開可能な一対の侵入部をそれぞれ設けてなるから、一対の侵入部を筒チップの筒穴の両端から筒穴内にそれぞれ侵入させ、握持部を握ることにより筒穴を拡開し、この拡開により自毛束及び取付毛束を抜き去り、筒チップを容易に取り外すことができる。
【発明を実施するための最良の形態】
【００１１】
図１乃至図１５は本発明の実施の形態例を示し、大別して、補助ツール１、筒チップ２及びかしめ手工具３からなる
【００１２】
この補助ツール１は、頭に生えている自毛の適宜本数を掻寄可能な鉤状の掻寄部４及びこの自毛束Ｗを金属製の筒チップ２に挿通するための輪紐状の挿通用紐５を備えてなる。
【００１３】
しかして、補助ツール１を持って、図２の如く、輪を狭めた挿通用紐５を筒チップ２の筒穴２ａに挿入し、図３の如く、掻寄部４に挿通用紐５の輪を通し、図４の如く、掻寄部４により自毛の適宜本数を掻寄せ、図５の如く、挿通用紐５の輪内に自毛束Ｗを挿通し、図６の如く、筒チップ２を挿通用紐５から自毛束Ｗへと移動して自毛束Ｗを折り返し折曲し、図７の如く、挿通用紐５を引くことにより筒チップ２内に自毛束Ｗを挿通することになる。
【００１４】
又、上記かしめ手工具３は、この場合、一対のかしめ部材６・６を枢軸７によりＸ状に枢着して枢軸７を境に先端側を一対のかしめ部９・９として基部側を一対の握持部１０・１０に形成し、かつ、かしめ部材６・６をバネ部材８により先端側を開口付勢し、筒チップ２の横断面形状を略半円弧筒状に圧潰可能な弧状圧潰部１１及び筒チップ２の横断面形状を略扁平筒状に圧潰可能な扁平圧潰部１２を具えている。
【００１５】
この場合、上記弧状圧潰部１１は対向する一対のかしめ部９・９にそれぞれ形成された弧状凸部１３及び弧状凹部１４からなり、かつ、上記扁平圧潰部１２は対向する一対のかしめ部９・９にそれぞれ形成された一対の圧潰面部１５・１６からなる。
【００１６】
又、この場合、上記弧状圧潰部１１の弧状凸部１３の中央部に先止まり丸穴状の没入凹部１７を形成すると共に弧状凹部１４に上記没入凹部１７に嵌入可能な円柱状の嵌入凸部１８を形成し、かつ、上記一対の圧潰面部１５・１６にローレット目Ｍを刻成している。
【００１７】
しかして、図８、図９の如く、自毛束Ｗが挿通された筒チップ２の筒穴２ａ内に取付毛束Ｋの基端部を挿通し、この状態で、図１０、図１１の如く、弧状圧潰部１１の弧状凹部１４内に筒チップ２を載せ、握持部１０・１０を強く握ることにより、図１２の如く、筒チップ２を横断面形状が略半円弧筒状になるように圧潰して自毛束Ｗ及び取付毛束Ｋを筒チップ２の内面で圧締し、次いで、筒チップ２を扁平圧締部１２の圧潰面部１５・１６間に位置し、再び、握持部１０・１０を強く握ることにより、図１３の如く、筒チップ２を横断面形状が略扁平筒状になるように圧潰して自毛束Ｗ及び取付毛束Ｋを筒チップ２の内面で圧締し、これにより筒チップ２を介して自毛束Ｗ及び取付毛束Ｋを連結することになる。
【００１８】
１９・２０は一対の侵入部であって、上記かしめ手工具３の一対のかしめ部９・９の先端部に上記横断面形状が略扁平筒状にかしめられた筒チップ２の筒穴２ａの両端から筒穴２ａ内に侵入して筒穴２ａを拡開可能に形成している。
【００１９】
しかして、図１４、図１５の如く、筒チップ２を取り外す場合、一対の侵入部１９・２０を筒チップ２の筒穴２ａの両端から筒穴２ａ内にそれぞれ侵入させ、握持部１０・１０を握ることにより筒穴２ａを拡開し、この拡開により自毛束Ｗ及び取付毛束Ｋを抜き去ることになる。
【００２０】
この実施の形態例は上記構成であるから、図２の如く、輪を狭めた挿通用紐５を筒チップ２の筒穴２ａに挿入し、図３の如く、掻寄部４に挿通用紐５の輪を通し、図４の如く、掻寄部４により自毛の適宜本数を掻寄せ、図５の如く、挿通用紐５の輪内に自毛束Ｗを挿通し、図６の如く、筒チップ２を挿通用紐５から自毛束Ｗへと移動して自毛束Ｗを折り返し折曲し、図７の如く、挿通用紐５を引くことにより筒チップ２内に自毛束Ｗを挿通し、次いで、図８、図９の如く、自毛束Ｗが挿通された筒チップ２の筒穴２ａ内に取付毛束Ｋの基端部を挿通し、この状態で、図１０、図１１の如く、弧状圧潰部１１の弧状凹部１４内に筒チップ２を載せ、握持部１０・１０を強く握ることにより、図１２の如く、筒チップ２を横断面形状が略半円弧筒状になるように圧潰して自毛束Ｗ及び取付毛束Ｋを筒チップ２の内面で圧締し、次いで、筒チップ２を扁平圧締部１２の圧潰面部１５・１６間に位置し、再び、握持部１０・１０を強く握ることにより、図１３の如く、筒チップ２を横断面形状が略扁平筒状になるように圧潰して自毛束Ｗ及び取付毛束Ｋを筒チップ２の内面で圧締し、これにより筒チップ２を介して自毛束Ｗ及び取付毛束Ｋを連結することができ、自毛束Ｗと取付毛束Ｋとを筒チップ２を介して容易に連結することができる。
【００２１】
しかして、補助ツール１の掻寄部４により自毛の適宜本数を容易に掻き寄せることができると共に挿通用紐５により自毛束Ｗを上記金属製の筒チップ２に容易に挿通することができ、かつ、筒チップ２をかしめ手工具３の弧状圧潰部１１により横断面形状が略半円弧筒状に圧潰し、その後、扁平圧潰部１２により横断面形状が略扁平筒状に圧潰することにより筒チップ２で自毛束Ｗ及び取付毛束Ｋを圧締することができ、自毛束Ｗと取付毛束Ｋとの取付強度を高めることができ、使用の耐久性を向上することができる。
【００２２】
又、この場合、上記かしめ手工具１は一対のかしめ部材６・６を枢軸７によりＸ状に枢着して枢軸７を境に先端側を一対のかしめ部９・９として基部側を一対の握持部１０・１０としてなるから、ペンチのように使用することができて容易に筒チップ２をかしめることができ、又、この場合、上記弧状圧潰部１１は対向する弧状凸部１３及び弧状凹部１４からなるので、筒チップ２の横断面形状を容易に略半円弧筒状に圧潰することができ、又、この場合、上記扁平圧潰部１２は対向する一対の圧潰面部１５・１６からなるので、筒チップ２の横断面形状を容易に略扁平筒状に圧潰することができ、筒チップ２で自毛束Ｗ及び取付毛束Ｋを圧締することができ、又、この場合、上記弧状圧潰部１１の弧状凸部１３に没入凹部１７を形成すると共に弧状凹部１４に没入凹部１７に嵌入可能な嵌入凸部１８を形成してなるから、筒チップ２による自毛束Ｗと取付毛束Ｋとの取付強度を高めることができ、使用の耐久性を向上することができ、又、この場合、上記一対の圧潰面部１５・１６にローレット目Ｍを刻成してなるから、筒チップ２の外周面を容易に圧壊することができる。
【００２３】
又、この場合、上記かしめ手工具３の一対のかしめ部９・９の先端部に上記横断面形状が略扁平筒状にかしめられた筒チップ２の筒穴２ａの両端から筒穴２ａ内に侵入拡開可能な一対の侵入部１９・２０をそれぞれ設けてなるから、一対の侵入部１９・２０を筒チップ２の筒穴２ａの両端から筒穴２ａ内にそれぞれ侵入させ、握持部１０・１０を握ることにより筒穴２ａを拡開し、この拡開により自毛束Ｗ及び取付毛束Ｋを抜き去り、筒チップ２を容易に取り外すことができる。
【００２４】
尚、本発明は上記実施の形態例に限られるものではなく、補助ツール１、筒チップ２、かしめ手工具３の材質、形状や構造等は適宜改変して設計される。又、上記取付毛束Ｋに代えて各種のリボンやビーズ等の頭髪装飾品を用いることもある。
【００２５】
以上、所期の目的を充分達成することができる。
【図面の簡単な説明】
【００２６】
【図１】本発明の実施の形態例の全体斜視図である。
【図２】本発明の実施の形態例の正面図である。
【図３】本発明の実施の形態例の使用状態の正面図である。
【図４】本発明の実施の形態例の使用状態の正面図である。
【図５】本発明の実施の形態例の使用状態の正面図である。
【図６】本発明の実施の形態例の使用状態の正面図である。
【図７】本発明の実施の形態例の使用状態の正面図である。
【図８】本発明の実施の形態例の使用状態の正面図である。
【図９】本発明の実施の形態例の使用状態の正面図である。
【図１０】本発明の実施の形態例の使用状態の正面図である。
【図１１】本発明の実施の形態例の使用状態の部分断面図である。
【図１２】本発明の実施の形態例の使用状態の部分断面図である。
【図１３】本発明の実施の形態例の使用状態の部分断面図である。
【図１４】本発明の実施の形態例の使用状態の正面図である。
【図１５】本発明の実施の形態例の使用状態の正面図である。
【符号の説明】
【００２７】
Ｗ    自毛束
Ｍ    ローレット目
Ｋ    取付毛束
１    補助ツール
２    筒チップ
２ａ    筒穴
３    かしめ工具
４    掻寄部
５    挿通用紐
６    かしめ部材
７    枢軸
９    かしめ部
１０    握持部
１１    弧状圧潰部
１２    扁平圧潰部
１３    弧状凸部
１４    弧状凹部
１５    圧潰面部
１６    圧潰面部
１７    没入凹部
１８    嵌入凸部
１９    侵入部
２０    侵入部
【図１】
2006291364.tif 000003
【図２】
2006291364.tif 000004
【図３】
2006291364.tif 000005
【図４】
2006291364.tif 000006
【図５】
2006291364.tif 000007
【図６】
2006291364.tif 000008
【図７】
2006291364.tif 000009
【図８】
2006291364.tif 000010
【図９】
2006291364.tif 000011
【図１０】
2006291364.tif 000012
【図１１】
2006291364.tif 000013
【図１２】
2006291364.tif 000014
【図１３】
2006291364.tif 000015
【図１４】
2006291364.tif 000016
【図１５】
2006291364.tif 000017